(57)【要約】【解決手段】エレベータドア装置は、エレベータ出入口の上部に設けられ、エレベータ出入口の幅方向に形成されるハンガーレールを備えるハンガーケースと、ハンガーレール上で転動するローラーが連結され、ローラーがハンガーレール上で転動することに対応してエレベータ出入口の幅方向に移動するハンガープレートと、ハンガープレートにされ、ハンガープレートの左右移動に伴いエレベータ出入口を開閉するエレベータドアとを含む。ハンガープレートには前方に突出または後方に陥没した第１エンボシング部が縦方向に形成され、第１エンボシング部はローラーの中心に対応される地点から幅方向に延長された線を通過するように形成される。これに伴い、ハンガープレート素材の材質を変更するか厚さを増加させずとも、ハンガープレートの一部や全体の剛性を目的とする水準に合わせて増加させることができるので、エレベータドアに一定の力が加えられてもハンガープレートの変形によるエレベータドアの離脱を防止することができる。
2011517649.tif 000002
【特許請求の範囲】
【請求項１】
エレベータ出入口の上部に設けられ、前記エレベータ出入口の幅方向に形成されるハンガーレールを備えるハンガーケースと、
前記ハンガーレール上で転動するローラーが連結され、前記ローラーが前記ハンガーレール上で転動することに対応して前記エレベータ出入口の幅方向に移動するハンガープレートと、
前記ハンガープレートに係合され、前記ハンガープレートの左右移動に伴い前記エレベータ出入口を開閉するエレベータドアとを含み、
前記ハンガープレートには前方に突出、または後方に陷沒した第１エンボシング部が縦方向に形成され、前記第１エンボシング部は前記ローラーの中心に対応される地点から幅方向に延長された線を通過するように形成されることを特徴とするエレベータドア装置。
【請求項２】
前記ハンガープレートには、前方に突出、または後方に陷沒した第２エンボシング部が横方向に形成され、前記第２エンボシング部は前記ハンガープレートの幅方向の両端の間を二等分する中心線を通過するように形成されることを特徴とする請求項１に記載のエレベータドア装置。
【請求項３】
前記ハンガープレートは、ベースプレートと、前記ベースプレートの一端から垂直に折り曲げられて形成される連結プレートとを含み、前記連結プレートが前記ベースプレート側に折り畳まれることを防止するため、前記ベースプレートと前記連結プレートを連結する連結部には内側に突出した第３エンボシング部が形成されることを特徴とする請求項１または２に記載のエレベータドア装置。
【請求項４】
前記第１エンボシング部は、前記ハンガープレートと前記ローラーを連結する連結軸を中心に左右１対形成されることを特徴とする請求項１に記載のエレベータドア装置。
【請求項５】
エレベータ出入口の上部に設けられ、前記エレベータ出入口の幅方向に形成されるハンガーレールを備えるハンガーケースと、
前記ハンガーレール上で転動するローラーが連結され、前記ローラーが前記ハンガーレール上で転動することに対応して前記エレベータ出入口の幅方向に移動するハンガープレートと、
前記ハンガープレートに係合され、前記ハンガープレートの左右移動に伴い前記エレベータ出入口を開閉するエレベータドアとを含み、
前記ハンガープレートの幅方向の両端には、前記ハンガープレートから前方または後方に折り曲げられて形成される折曲部が備えられ、前記折曲部は前記ローラーの中心に対応される地点から幅方向に延長された線を通過するよう縦方向に延長されることを特徴とするエレベータドア装置。
【請求項６】
ハンガーケースをエレベータドアと接続するエレベータ用ハンガープレートであって、前記ハンガーケースは、前記エレベータ出入口の上部に設けられ、エレベータ出入口の幅方向に形成されるハンガーレールを備えており、前記エレベータドアは、前記ハンガーレール上で転動するローラーを介し、前記ハンガーレールにより案内されて前記エレベータ出入口の幅方向に移動し
前方に突出または後方に陷沒し、前記ローラーの中心に対応される地点から幅方向に延長された線を通過するよう縦方向に形成される第１エンボシング部を含むことを特徴とするエレベータ用ハンガープレート。
【請求項７】
前方に突出または後方に陷沒し、幅方向の両端の間を二等分する中心線を通過するよう横方向に形成される第２エンボシング部をさらに含むことを特徴とする請求項６に記載のエレベータ用ハンガープレート。
【請求項８】
前記第１エンボシング部が形成されるベースプレートと、前記ベースプレートの一端から垂直に折り曲げられて形成される連結プレートとを含み、前記連結プレートが前記ベースプレート側に折り畳まれることを防止するため、前記ベースプレートと前記連結プレートを連結する連結部には、内側に突出した第３エンボシング部が形成されることを特徴とする請求項６または７に記載のエレベータ用ハンガープレート。
【請求項９】
幅方向の両端で前方または後方に折り曲げられて形成され、前記ローラーの中心に対応される地点から幅方向に延長された線を通過するよう縦方向に延長される折曲部をさらに含むことを特徴とする請求項６または７に記載のエレベータ用ハンガープレート。
【発明の詳細な説明】
【技術分野】
【０００１】
本発明は、エレベータ用ハンガープレート及びこれを含むエレベータドア装置に関し、より詳しくはハンガープレートの剛性を増大させてハンガープレートの変形によるエレベータドアの離脱を防止することができる、エレベータ用ハンガープレート及びこれを含むエレベータドア装置に関する。
【背景技術】
【０００２】
従来には、外部の衝撃によるエレベータドアの離脱に係わる安全基準が十分でない実情であった。例えば、従来のＥＮ（ヨーロッパ標準）基準の場合、３０kgの荷重を静的にエレベータドアに加えてドアの変形有無を確認する方法を用いた。しかし、このような方法は実際の衝突状況を適切に反映することができないので、エレベータドアの安全性を十分担保することができないとの問題があった。
【０００３】
これに伴い、最近開催された昇降機安全分野国際標準化会議（ＩＳＯ／ＴＣ１７８）では、エレベータドアの「離脱強度と試験方法」と関連し実際の衝突状況と最も近似して動く物体の運動エネルギーをエレベータドアに加える方法も併行して行うことに合意した。これに伴い、エレベータドアがその安定性の確認を受けるためには、エレベータドアに４５０［Ｊ］のエネルギー（２人の中学生（１２０kg）が時速約１０kmで突進して衝突する場合のエネルギー）が加えられるとしても、エレベータドアが離脱しないことを要する。
【発明の概要】
【発明が解決しようとする課題】
【０００４】
しかし、従来のエレベータドア装置の場合、前記のようなエネルギーがエレベータドアに加えられると、ハンガープレートの変形によりエレベータドアが離脱し易いとの問題がある。
【０００５】
図９は、一定の力がエレベータドアに加えられる場合に発生し得るハンガープレートの撓みによるエレベータドアの離脱を説明するための従来のエレベータドア装置の側面図である。
【０００６】
図９を参照しながら、従来のエレベータドア装置に関して説明する。エレベータ出入口の上部には、エレベータドア３０を駆動させるための駆動装置などが設けられるハンガーケース１０が備えられる。前記ハンガーケース１０には、駆動装置以外にもエレベータドア３０の移動を案内するためのハンガーレール１２が備えられる。前記ハンガーレール１２上には、ハンガーレール１２に沿って転動しながらエレベータ出入口の幅方向に左右移動するローラー２２が備えられる。このようなローラー２２は、エレベータドア３０と結合されるハンガープレート２０に連結される。前記のような構造を介し、エレベータドア３０はハンガープレート２０によりハンガーケース１０のハンガーレール１２と左右移動が可能になるように連結され得る。
【０００７】
前記のように、エレベータドア３０の上部はハンガープレート２０を介してハンガーケース１０により支持され、エレベータドア３０の下部はドアシュー（door shoe）３２を介してガイドレール４０により支持されることで、エレベータドア３０は安定的にエレベータ出入口の幅方向に左右移動することができる。
【０００８】
しかし、従来のハンガープレート２０は薄い厚さを有する平板状の金属プレートを単に折り曲げる方法で製造されるので、その剛性が非常に弱いとの問題がある。これに伴い、図９に示されているように、エレベータドア３０に一定の力（Ｆ）が垂直に作用すれば、ハンガープレート２０の一定部分に撓みが発生して（図９のＡ及びＢを参照）エレベータドア３０がガイドレール４０から離脱することがある。
【０００９】
したがって、本発明は前記のような問題点を解決するため案出されたものであって、本発明の課題は、エレベータドアに一定の力が加えられてもハンガープレートの変形の発生を抑制してエレベータドアの離脱を防止することができるエレベータ用ハンガープレートとエレベータドア装置を提供することである。
【課題を解決するための手段】
【００１０】
本発明の好ましい実施の形態によれば、エレベータドア装置は、エレベータ出入口の上部に設けられ、エレベータ出入口の幅方向に形成されるハンガーレールを備えるハンガーケースと、ハンガーレール上で転動するローラーが連結され、ローラーがハンガーレール上で転動することに対応してエレベータ出入口の幅方向に左右移動するハンガープレートと、ハンガープレートに結合され、ハンガープレートの左右移動に伴いエレベータ出入口を開閉するエレベータドアとを含む。ここで、前記ハンガープレートには前方に突出、または後方に陷沒した第１エンボシング部が縦方向に形成され、前記第１エンボシング部は前記ローラーの中心に対応される地点から幅方向に延長された線を通過するように形成される。
【００１１】
本発明に係るエレベータドア装置は、第１エンボシング部が形成されたハンガープレートを含んで構成されるので、垂直方向の力がエレベータドアに加えられてもハンガープレートが上方に撓むことが最大限に抑制可能である。即ち、ハンガープレートに第１エンボシング部が縦方向に形成されるので、ハンガープレートが前記のように撓むことを抑制することができるハンガープレートの剛性が確保でき、これに伴いエレベータドアに垂直の力が加えられてもハンガープレートが上方に撓まないので、エレベータドアの離脱が防止できる。
【００１２】
さらに、このような離脱の防止は、第１エンボシング部がローラーの中心に対応される地点から幅方向に延長された線を通過するように形成されるので一層効果的である。詳述すれば、ハンガープレートに力が加えられる場合、ハンガープレートがローラーと連結される地点、即ち、ローラーの中心に対応される地点で最初に撓みが発生し得る。しかし、本発明に係るハンガープレートには、第１エンボシング部がローラーの中心に対応される地点から幅方向に延長された線を通過するように形成されるので、ハンガープレートの強度的脆性を補強することができる。このような第１エンボシング部は、ハンガープレートとローラーを連結する連結軸を中心に左右１対が形成され得る。
【００１３】
一方、エレベータドアの幅方向の両端の間を二等分する中心線より左右に離隔された地点でエレベータドアに力が加えられても、本発明に係るエレベータドア装置は、第２エンボシング部によりハンガープレートの捩れを防止することができる。即ち、本発明に係るハンガープレートには、前記のようなハンガープレートの捩れを防止するため前方に突出または後方に陷沒した第２エンボシング部が横方向に形成され得る。このとき、前記第２エンボシング部は、ハンガープレートの幅方向の両端の間を二等分する中心線を通過するように形成されるのが好ましい。
【００１４】
さらに、前記ハンガープレートは、ベースプレートと、ベースプレートの一端から垂直に折り曲げられて形成される連結プレートとを含んで構成することができ、連結プレートがベースプレート側に折り畳まれることを防止するため、ベースプレートと連結プレートを連結する連結部には内側に突出した第３エンボシング部が形成され得る。これにより、エレベータドアに力が加えられても前記連結部が上方に撓むことが防止できる。
【００１５】
その他にも、本発明の他の好ましい実施の形態によれば、エレベータドア装置は、エレベータ出入口の上部に設けられ、エレベータ出入口の幅方向に形成されるハンガーレールを備えるハンガーケースと、ハンガーレール上で転動するローラーが連結され、ローラーがハンガーレール上で転動することに対応してエレベータ出入口の幅方向に左右移動するハンガープレートと、ハンガープレートに結合され、ハンガープレートの左右移動に伴いエレベータ出入口を開閉するエレベータドアとを含む。ここで、前記ハンガープレートの幅方向の両端には、ハンガープレートから前方または後方に折り曲げられて形成される折曲部が備えられ、前記折曲部はローラーの中心に対応される地点から幅方向に延長された線を通過するよう縦方向に延長される。
【００１６】
さらに、本発明のさらに他の好ましい実施の形態によれば、エレベータ用ハンガープレートは、エレベータ出入口の幅方向に形成されるハンガーレールを備え、エレベータ出入口の上部に設けられるハンガーケースと、ハンガーレールにより案内されてエレベータ出入口の幅方向に左右移動するエレベータドアを、ハンガーレール上で転動するローラーを介して連結し、前方に突出または後方に陷沒する傍ら、ローラーの中心に対応される地点から幅方向に延長された線を通過するよう縦方向に形成される第１エンボシング部を含むことができる。
【発明の効果】
【００１７】
本発明に係るエレベータ用ハンガープレートとエレベータドア装置は、第１〜第３エンボシング部が形成されたハンガープレートを含んで構成されるので、ハンガープレートの剛性を増大させることができ、エレベータドアに一定の力が加えられてもハンガープレートの変形によるエレベータドアの離脱を防止することができる。
【００１８】
さらに、本発明に係るエレベータ用ハンガープレートとエレベータドア装置は、ハンガープレート素材の材質を変更するか厚さを増加させる必要がなく、剛性の増加のため別途のプレートを溶接などの工程でハンガープレートに結合させる必要がないにも拘わらず、手軽く廉価にハンガープレートの一部や全体の剛性を目的とする水準に合わせて増加させることができる。
【図面の簡単な説明】
【００１９】
【図１】実施の形態１に係るエレベータドア装置を示している正面図である。
【図２】図１の側面図である。
【図３】実施の形態１に係るハンガープレートを示している正面図である。
【図４】図３の平面図である。
【図５】図３の側面図である。
【図６】実施の形態２に係るハンガープレートを示している正面図である。
【図７】図６の平面図である。
【図８】図６の側面図である。
【図９】一定の力がエレベータドアに加えられる場合に発生し得るハンガープレートの撓みによるエレベータドアの離脱を説明するための従来のエレベータドア装置の側面図である。
【発明を実施するための形態】
【００２０】
以下、図等を参照しながら本発明の好ましい実施の形態を詳しく説明するが、本発明が実施の形態により制限または限定されるものではない。参考までに、本説明で同一の番号は実質的に同一の要素を指し、前記規則下で他の図に記載された内容を引用して説明することができ、当業者に自明であると判断されるか繰り返される内容は省略できる。
【００２１】
実施の形態１
図１は実施の形態１に係るエレベータドア装置を示している正面図であり、図２は図１の側面図である。
【００２２】
図１及び図２に示されているように、本発明の実施の形態１に係るエレベータドア装置は、ハンガーケース１１０、ハンガープレート１２０及びエレベータドア１３０を含んで構成される。
【００２３】
エレベータ乗場側またはかご側出入口（以下では、２つを含めて「エレベータ出入口」と記載する）の上部にはハンガーケース１１０が設けられる。前記ハンガーケース１１０には、エレベータ乗場側またはかご側ドア（以下では、２つを含めて「エレベータドア」と記載する）を開閉するための駆動力を提供する駆動装置１６０と、エレベータドア１３０の幅方向の左右移動を案内するハンガーレール１１２が備えられる。
【００２４】
前記駆動装置１６０は、一般にモーターを含む駆動装置本体、前記駆動装置本体の駆動力により回転する回転軸、前記回転軸に固定され前記回転軸と連動して回転する駆動滑車、及び前記駆動滑車に架けられて前記駆動滑車の回転により周回運動する無端状のベルトを含んで構成される。前記ベルトの周回運動に伴い前記ベルトに連結されたハンガープレート１２０はエレベータ出入口１５０の幅方向に左右移動することができ、これに伴い前記ハンガープレート１２０に結合されたエレベータドア１３０は、エレベータ出入口１５０を開閉することができる。
【００２５】
前記ハンガーレール１１２はエレベータ出入口１５０の幅方向に形成され、ハンガープレート１２０に連結されたローラー１２２の移動を案内し、エレベータドア１３０が結合されたハンガープレート１２０をローラー１２２を介して支持する役割を果たす。このようなハンガーレールは、ハンガーケースと別に製作されハンガーケースに結合することもできるが、ハンガーケースと一体に製作することもできる。本実施の形態では、ハンガーケース１１０と一体に製作されたハンガーレール１１２が例示されている。
【００２６】
一方、前記ハンガープレート１２０は、エレベータドア１３０とハンガーケース１１０のハンガーレール１１２をローラー１２２を介して連結するだけでなく、駆動装置１６０による駆動力をエレベータドア１３０に伝達する役割を果たす。即ち、駆動装置本体により発生した駆動力は、周回運動するベルトによりハンガープレート１２０を左右に移動させ、前記ハンガープレート１２０の左右移動に伴いハンガープレート１２０に結合されたエレベータドア１３０は、エレベータ出入口１５０を開閉することができる。
【００２７】
さらに、ハンガープレート１２０には、ハンガープレート１２０の左右移動を円滑にし、所定の経路上でハンガープレート１２０が安定的に移動できるようにするため、ハンガーレール１１２上で転動するローラー１２２が連結され得る。このようなローラー１２２は、ハンガープレート１２０の幅方向の両端の間を二等分する中心線を基準に両側上部に２つが備えられるのが一般的である。
【００２８】
前記のように、エレベータドア１３０の上部はハンガープレート１２０を介してハンガーケース１１０により支持され、エレベータドア１３０の下部はドアシュー（door shoe）１３２を介してガイドレール１４０により支持されることで、エレベータドア１３０は安定的にエレベータ出入口１５０の幅方向に左右移動することができる。
【００２９】
図３〜図５を参考にしながら、本実施の形態に係るハンガープレートの構造を詳しく説明する。図３は実施の形態１に係るハンガープレートを示している正面図で、図４は図３の平面図であり、図５は図３の側面図である。
【００３０】
図３〜図５に示されているように、本発明の実施の形態１に係るハンガープレート１２０には後方に陷沒した第１エンボシング部１２４が縦方向に形成され得る。このとき、前記第１エンボシング部１２４は前記ローラーの中心に対応される地点から幅方向に延長された線（Ｌ）を通過するように形成されるのが好ましい。参考までに、本明細書で「縦方向」とは、ハンガープレート１２０の長手方向、即ち、図３のハンガープレートにおける縦方向を意味し、「横方向」または「幅方向」とは、ハンガープレート１２０の幅方向、即ち、図３のハンガープレートにおける横方向を意味する。
【００３１】
エレベータドア１３０の前方または後方に一定の力が加えられる場合、前記ドア１３０の上端に結合されたハンガープレート１２０にはその下端から前方または後方に加えられる力が作用する。このとき、ハンガープレート１２０の上部はローラー１２２の中心に備えられた連結軸１２３により支持されているので、前記のような力が作用する場合、通常、前記連結軸１２３の近傍でハンガープレート１２０の撓みが発生する。したがって、エレベータ乗客の不注意または事故などによりエレベータドア１３０に一定の力が加えられる場合、通常ハンガープレート１２０の上部の両側に連結されたローラー１２２の中心を連結する線（Ｌ）に沿ってハンガープレート１２０の撓みが発生する。
【００３２】
しかし、本実施の形態に係るハンガープレート１２０には第１エンボシング部１２４が形成されているので、前記のような撓みが最大限に抑制可能である。即ち、ハンガープレート１２０で最も撓み易い部分、即ち、ローラー１２２の中心に対応される地点から幅方向に延長された線（Ｌ）を通過するように第１エンボシング部１２４が形成されるので、本実施の形態に係るエレベータドア装置は、ハンガープレート１２０が前記のように撓むことを防止可能なハンガープレート１２０の剛性を確保することができる。これに伴い、本実施の形態に係るエレベータドア装置は、エレベータドア１３０に一定の力が加えられてもハンガープレート１２０の撓みによるエレベータドア１３０の離脱を最大限に防止することができる。
【００３３】
このような第１エンボシング部１２４は、ハンガープレート１２０の一部をプレスなどで加圧する方法などにより形成することができ、製造方法に従いハンガープレート１２０の前方に突出するように形成するか、後方に陷沒するように形成することができる。本実施の形態では、後方に陷沒した第１エンボシング部１２４が例示されている。
【００３４】
一方、ハンガープレート１２０の撓みは通常ハンガープレート１２０の幅方向の両端から始まるので、第１エンボシング部１２４が幅方向の中心近くに形成されるときより、ハンガープレート１２０の両端近くに形成されるときがハンガープレート１２０の撓み防止に効果的である。よって、ハンガープレート１２０の両端近くで連結されるローラー１２２の連結軸１２３を中心に第１エンボシング部１２４が左右１対に形成されるのが好ましい。
【００３５】
一般に、ハンガープレート１２０の変形は、前記のようにハンガープレート１２０が上方に撓む場合が問題となる。しかし、エレベータドア１３０の幅方向の両端の間を二等分する中心線より左右に離隔された地点でドア１３０に一定の力が加えられる場合、前記のような撓み以外にもハンガープレート１２０の捩れが問題になり得る。
【００３６】
前記のような捩れを防止するため、本実施の形態に係るハンガープレート１２０には第２エンボシング部１２５が形成され得る。第２エンボシング部１２５も第１エンボシング部１２４と同様に、ハンガープレート１２０の一部をプレスなどで加圧する方法等により形成することができ、製造方法に従いハンガープレート１２０の前方に突出するように形成するか、後方に陷沒するように形成することができる。本実施の形態では、後方に陷沒した第２エンボシング部１２５が例示されている。
【００３７】
一方、ハンガープレート１２０の幅方向の両端はローラー１２２の連結軸１２３などと連結されているので、中心から幅方向に離隔された位置でハンガープレート１２０に力が加えられる場合、ハンガープレート１２０の幅方向の両端の間を二等分する中心線（Ｃ）の近所で捩れが発生するのが一般的である。したがって、第２エンボシング部１２５は、ハンガープレート１２０の幅方向の両端の間を二等分する中心線（Ｃ）を通過するように形成されるのが好ましい。
【００３８】
さらに、ハンガープレート１２０の捩れは通常ハンガープレート１２０の上下方向の両端から始まるので、第２エンボシング部１２５が上下方向の中心近くに形成されるときより、ハンガープレート１２０の上下方向の両端近くに形成されるときがハンガープレート１２０の捩れ防止に効果的である。したがって、第２エンボシング部１２５は、ハンガープレート１２０の上下方向の両端近くに形成されるのが好ましい。
【００３９】
一方、ハンガープレート１２０は図５に示されているように、通常第１及び第２エンボシング部１２４、１２５が形成されるベースプレート１２８と、前記ベースプレート１２８の一端から垂直に折り曲げられて形成される連結プレート１２９とで構成され得る。これに伴い、ハンガープレート１２０は側面から見たとき「Ｌ」字形の断面を有することができる。
【００４０】
ハンガープレート１２０が前記のように形成される場合、ベースプレート１２８と連結プレート１２９の連結部は撓みに非常に脆弱である。したがって、前記のような脆性を補うため、本実施の形態に係るハンガープレート１２０には第３エンボシング部１２６がさらに形成され得る。
【００４１】
このような第３エンボシング部１２６は、ベースプレート１２８と連結プレート１２９を連結する連結部から内側に突出するように形成される。本実施の形態に係るハンガープレート１２０は、前記のような第３エンボシング部１２６により前記連結部が上方に撓むことを防止可能である。
【００４２】
前述のように、本実施の形態に係るエレベータドア装置は、第１〜第３エンボシング部が形成されたハンガープレートを含んで構成されるので、エレベータドアに一定の力が加えられても、ハンガープレートの変形によるエレベータドアの離脱を防止することができる。
【００４３】
さらに、本実施の形態に係るエレベータドア装置は、ハンガープレート素材の材質を変更するか厚さを増加させる必要がなく、かつ剛性の増加のため別途のプレートを溶接などの工程でハンガープレートに結合させる必要がないにも拘わらず、手軽く廉価にハンガープレートの一部や全体の剛性を目的とする水準に合わせて増加させることができる。
【００４４】
実施の形態２
図６は実施の形態２に係るハンガープレートを示している正面図で、図７は図６の平面図であり、図８は図６の側面図である。参考までに、前述の構成と同一又は相当する構成に対しては、同一又は相当する符号で図示し、それに対する詳細な説明は省略する。
【００４５】
本発明の実施の形態２に係るエレベータドア装置は、ハンガーケース１１０、ハンガープレート２２０及びエレベータドア１３０を含んで構成される。本実施の形態に係るエレベータドア装置と、実施の形態１に係るエレベータドア装置との主な相違点は、ハンガープレートの構成にあるので、図６〜図８を参照しながら本実施の形態に係るハンガープレートを中心に説明する。
【００４６】
本実施の形態に係るハンガープレート２２０は、ハンガープレート２２０の幅方向の両端に折曲部２２４が備えられることを特徴とする。前記折曲部２２４は、ハンガープレート２２０の幅方向の両端から前記ハンガープレート２２０の前方または後方に折り曲げられて形成される。さらに、前記折曲部２２４は、ローラー１２２の中心に対応される地点から幅方向に延長された線（Ｌ）を通過するように縦方向に延長される。
【００４７】
前述のように、エレベータドア１３０に一定の力が加えられる場合、ハンガープレート２２０の上部両側に連結されたローラー１２２の中心を連結する線（Ｌ）に沿ってハンガープレートに撓みが発生する。したがって、前記折曲部２２４は実施の形態１の第１エンボシング部１２４と同様に、ハンガープレート２２０で最も撓み易い部分、即ち、ローラー１２２の中心に対応される地点から幅方向に延長された線（Ｌ）を通過するように形成されるのが好ましい。本実施の形態では、ハンガープレート２２０の上端から下端まで形成された折曲部２２４が例示されている。
【００４８】
前記折曲部２２４の厚さや長さなどは、その厚さなどが増加するほど変形の防止に有効であるが、余裕空間や費用の増加などを考慮して適宜選択されるのが好ましい。
【００４９】
上述のように、本発明の好ましい実施の形態を参照しながら説明したが、当該技術分野の熟練した当業者であれば、下記の請求範囲に記載された本発明の思想及び領域から外れない範囲内で、本発明を多様に修正及び変更させ得ることを理解できるはずである。したがって、本発明の思想は下記に記載された特許請求の範囲によってのみ把握されなければならず、その均等または等価的な変形全てが本発明思想のカテゴリーに属すると言えるはずである。
【００５０】
［産業上の利用可能性］
本発明は、ハンガープレートの剛性を増大させてハンガープレートの変形によるエレベータドアの離脱を防止することができるエレベータ用ハンガープレート、及びこれを含むエレベータドア装置に関するものであって、産業上の利用可能性がある。
【符号の説明】
【００５１】
１１０  ハンガーケース、１１２  ハンガーレール、１２０  ハンガープレート、１２２  ローラー、１２４  第１エンボシング部、１２５  第２エンボシング部、１２６  第３エンボシング部、１２８  ベースプレート、１２９  連結プレート、１３０  エレベータドア、１５０  エレベータ出入口、２２４  折曲部。
【図１】
2011517649.tif 000003
【図２】
2011517649.tif 000004
【図３】
2011517649.tif 000005
【図４】
2011517649.tif 000006
【図５】
2011517649.tif 000007
【図６】
2011517649.tif 000008
【図７】
2011517649.tif 000009
【図８】
2011517649.tif 000010
【図９】
2011517649.tif 000011
【国際調査報告】
2011517649.tif 000012
2011517649.tif 000013
2011517649.tif 000014
2011517649.tif 000015